(57)【要約】  【課題】  空気吸込口体から噴出された排気によって空気吸込口体を清掃面から浮かした状態で円滑に清掃ができるのであり、しかも清掃時に空気吸込口体を前後に移動させる過程で、洗浄・殺菌とすすぎ、更に乾燥などが行える上、埃やゴミ更に汚水の回収が行な得る排気循環型掃除機を提供することを課題とする。  【解決手段】  排気循環型掃除機とこの掃除機の空気吸込口体とからなり、この空気吸込口体から噴出する排気によって、空気吸込口体を清掃面から僅かながら浮かせた状態で掃除ができたり、更に好ましくは、空気吸込口体から、空気とともに、洗浄水、洗浄液、温水、蒸気などのいずれかを噴き出して床面などの清掃面の洗浄や除菌が円滑にできるように構成した。  【選択図】  図６
2006043444.tif 000002
【特許請求の範囲】
【請求項１】
電動ファン及びフィルタが内装された掃除機本体と、空気吸込口及び排気噴出口を有する空気吸込口体と、掃除機本体と空気吸込口体とを接続する配管とが組み付けられて、電動ファンの回転による負圧によって空気吸込口体から空気が吸込まれて、フィルタで集塵・捕捉し、この集塵・捕捉後の排気が、空気吸込口体の排気噴出口から排出されて、当該排気が空気吸込口から吸込まれるように構成されている排気循環型の掃除機であって、
空気吸込口体の排気噴出口から噴き出された排気が、空気吸込口体の下面と清掃面との間に流通して、空気吸込口体を清掃面から浮上させた姿勢で清掃が行なわれるように構成されていることを特徴とする排気循環型掃除機。
【請求項２】
空気吸込口体は、下部中央箇所に下方に向けて排気を噴出する排気噴出口が設けられ、該排気噴出口の周囲に、排気を清掃面に流通させて空気吸込口体を清掃面から浮上させるための平面部が形成され、更に、該平面部の周囲に空気吸込口が形成されている請求項１に記載の排気循環型掃除機。
【請求項３】
平面部の終端は、上方向に湾曲されたうえで、空気吸込口の内壁面へと連設されてなり、排気噴出口から噴出された排気が、前記平面部の終端における内壁面に誘導されて上方向に循環され易い構造に構成されている請求項１又は２に記載の空気吸込口体。
【請求項４】
排気噴出口及び平面部の下面には、通気性、又は、通気性及び通水性を有する面状体が被覆されている請求項１ないし３のいずれか１項に記載の排気循環型掃除機。
【請求項５】
掃除機本体、配管又は空気吸込口体のいずれか１つ、或いはこれらのいずれかに接続される接続管に、空気吸込口体を浮上させるために必要な排気圧及び排気量の調整を行なう圧力調整バルブが設けられている請求項１ないし４のいずれか１項に記載の排気循環型掃除機。
【請求項６】
掃除機本体内、又は該掃除機本体に隣接した箇所に、洗浄水貯蔵容器が設けられて、当該洗浄水貯蔵容器内の洗浄水が、送風ファンの回転によって発生した空気の加圧及び／又は負圧によって、或いは、掃除機本体内に設けられているポンプの駆動によって、空気吸込口体の排気噴出口から、空気とともに噴き出されて清掃面を洗浄し、洗浄後の水が、空気吸込口体の空気吸込口から掃除機本体内の回収水貯留容器内に回収されるように構成されている請求項１ないし５のいずれか１項に記載の排気循環型掃除機。
【請求項７】
洗浄水貯蔵容器内に、又は洗浄水が流通する配管部分に、洗浄水を温水或いは水蒸気にするヒーターが設けられ、該ヒーターで温められた温水或いは水蒸気が、空気とともに空気吸込口体の排気噴出口から噴き出されるように構成されている請求項６に記載の排気循環型掃除機。
【請求項８】
請求項１ないし７のいずれか１項に記載の排気循環型掃除機の一部を構成してなる空気吸込口体であって、この空気吸込口体における下部中央箇所に下方に向けて排気を噴出する排気噴出口が設けられ、該排気噴出口の周囲に、排気を清掃面に流通させて空気吸込口体を清掃面から浮上させるための平面部が形成され、更に、該平面部の周囲に空気吸込口が形成されていることを特徴とする空気吸込口体。
【請求項９】
平面部の終端は、上方向に湾曲されたうえで、空気吸込口の内壁面へと連設されてなり、排気噴出口から噴出された排気が、前記平面部の終端の内壁面に誘導されて上方向に循環され易い構造に構成されている請求項１６に記載の空気吸込口体。
【請求項１０】
排気循環型掃除機に取り付けられ、且つ窓ガラス又は壁面などを洗浄するための空気吸込口体であって、この空気吸込口体は、筒形状を有する外筒と、該外筒内に間隔を設けて形成された内筒とを有し、しかも前記外筒に連接され、且つ横方向に扇形に広がる外側ケース部と、前記内筒に連接され、且つ前記外側ケース部内に沿うように当該外側ケース部よりも小形状を有し、しかも横方向に扇形に広がる内側ケース部とからなり、前記前後の外側ケース部と内側ケース部との間には、それぞれ所定間隔を設けて排気路が形成されており、又、前記内筒に連通する内側ケース部内に空気吸込み路が形成されており、この空気吸込み路の前端である内側ケース部の前端には横方向に長いスリット形状の空気吸込口が形成されており、更に、前記排気路の前端である前後の外側ケース部と内側ケース部との間においてその前端には、それぞれ横方向に長いスリット形状の排気噴出口が形成されていることを特徴とする空気吸込口体。
【発明の詳細な説明】
【技術分野】
【０００１】
本発明は、空気吸込口体が清掃面から浮上した状態で清掃が行なわれる排気循環型掃除機及びこれに用いられる空気吸込口体に関し、更に詳しくは、空気吸込口体から噴き出された排気を、空気吸込口体の下面と清掃面との間を流通させることによって、空気吸込口体を掃除する対象面から僅かながら浮かせた状態で掃除ができる上、空気吸込口体から、空気とともに、洗浄水、洗浄液、温水、蒸気などのいずれかを噴き出して床面などの清掃や除菌などができる排気循環型掃除機及びこれに用いられる空気吸込口体に関する。
【背景技術】
【０００２】
床面を清掃する器具には、モップや雑巾などの作業道具と、電気掃除機、汚れた水も吸い取ることができる湿式クリーナー、モータで回転するブラシがハンドルの先端に装着された洗浄機であるポリシャーなどの電動製品がある。そして、ビルなどの窓ガラスの清掃には、ゴム製の細長い平板に短い柄が取り付けられているスクイージーと呼ばれる清掃具を使用していた。
【０００３】
電気掃除機は排気を外部に放出する従来型のものと排気循環型の掃除機がある。この排気循環型の掃除機としては、特許文献１に開示されているように、電動送風機の動作により、空気吸込口体の吸込口から空気を吸込み、この吸い込んだ空気をフィルタに通して集塵を捕捉し、前記フィルタを通過して電気送風機から排出された空気を、還流回路を介して吸込口体に戻した後、戻された空気を循環させながら掃除をする掃除機であると記載されている。
【０００４】
この種、従来の排気循環型の掃除機は、埃が焼けるような嫌な臭いがする排気が室内に排出されない点と、畳の目やカーペットの繊維間に詰まっている埃やゴミを排気で浮き出した後、これを吸込んで回収することができるという高い清掃機能を有している点と、空気を吸込む負圧で空気吸込口体が床など吸着して円滑な移動を妨げるのを防止しているという点において、多くの人に受け入れられている。
【０００５】
この他にも、特許文献２に記載の噴き出し口掃除機のように、排気循環型の掃除機において、空気の噴出し口から熱風を噴き出して、掃除をする面の除菌又は殺菌や乾燥を行なうものも開示されている。
【０００６】
【特許文献１】特願２０００−３７６３６１号公報
【特許文献２】特開２００３−２９９５９９号公報
【発明の開示】
【発明が解決しようとする課題】
【０００７】
モップや雑巾を利用して床面などを掃除する作業は作業者の労働負担が大きく、家庭以外では作業経済性が低い。このため、電気掃除機や湿式クリーナー、ポリシャーが使用されることになるが、例えば、ポリシャーで床面を洗浄すると、洗浄後に床面に残った洗剤や水の後処理が問題となる。このため、丁寧にポリシャーで床面に残った洗剤分や油脂分を除去する作業を行なったり、床面に残った洗剤分や油脂分を湿式クリーナーで吸い取ることが一般に行なわれているが、このような作業を行なっても、床面に残った洗剤を十分に吸い取ることができないので、床面に洗剤の跡が残り、これらが時間の経過とともに白く浮き上がってくることがあった。
【０００８】
又、従来のスクイ−ジーを利用してビルの汚れた窓ガラスを清掃する際には、窓を水で濡らし、この水をスクイージーで掻き取りながら行なわれるが、スクイージーで汚れた水を上手に回収しなければ、汚れた水が落下して、通行人に迷惑を掛けるため、その使用には相当の熟練を要していた。
【０００９】
電気掃除機のうち、上記各従来技術における排気循環型の掃除機においては、空気吸込口体が床面などに着地した状態で前後に移動させて掃除を行なうようにしているために、空気吸込口体の下部周縁が床面や畳面を擦って、床面や畳面を傷付けてしまうことがある。又、従来の排気循環型の掃除機は、排気を循環させて床面や畳、カーペットを掃除することができても、床面に付着した汚れなどは除去出来なかったのである。
【００１０】
本発明が解決しようとする課題は、このような背景下において、コンクリートやタイル等で形成された床面や畳面、カーペットなどに落ちていたり詰まっている埃やゴミ更に汚れを排気圧と排気の流通によって除去した後、これらを吸い取って除去できるのであり、特に、排気によって空気吸込口体を清掃面から浮かした状態で清掃ができる上、その清掃の際に、空気吸込口体を前後方向に移動させる過程で、きれいな洗浄水などを噴き出してすすぎを行い、洗浄後の汚れた水分やすすぎに使用した水分なども吸い取って掃除機内に回収することができたり、又特に、ビルなどの窓ガラスを洗浄するときには、洗浄に使用した水を落下させることなく回収することができる排気循環型掃除機及びこれに用いられる空気吸込口体を提供することを目的とする。
【課題を解決するための手段】
【００１１】
以上の課題を達成するための手段となる本発明に係る排気循環型掃除機においては、電動ファン及びフィルタが内装された掃除機本体と、空気吸込口及び排気噴出口を有する空気吸込口体と、掃除機本体と空気吸込口体とを接続する配管とが組み付けられて、電動ファンの回転による負圧によって空気吸込口体から空気が吸込まれて、フィルタで集塵・捕捉し、集塵・捕捉後の排気が、空気吸込口体の排気噴出口から排出されて、この排気が空気吸込口から吸込まれるように構成されている排気循環型の掃除機であって、空気吸込口体の排気噴出口から噴き出された排気が、空気吸込口体の下面と清掃面との間に流通して、空気吸込口体を清掃面から浮上させた姿勢で清掃が行なわれるように構成されていることを特徴とするものである。
【００１２】
本発明の排気循環型掃除機（以下、本発明の掃除機と略称する。）は、排気を噴出する乾式のものと、排気と共に洗浄水などを噴出する湿式のものとがある。
【００１３】
いずれの構造の排気循環型掃除機も、排気圧によって空気吸込口体が清掃面から浮上した姿勢で清掃が行なわれる。この浮上は、排気循環型掃除機のホース先端に装着されている空気吸込口体（ノズル）の下面と清掃面（例えば、床面）との間を流通させることによって可能となる。この空気吸込口体を浮上する高さ（間隔）は僅かでよいのである。
【００１４】
空気吸込口体を床面などの清掃面から浮上させて使用すると、例えば、カーペットの掃除をするときには、空気吸込口体の吸込み力でカーペットが吸い付かないので、空気吸込口体をカーペットから離したり、吸込みの強弱を調整するスイッチを操作するという面倒な作業が不要になる。
【００１５】
また、空気吸込口体を床面などの清掃面から浮上させて使用すると、清掃面が傷付かないし、清掃面にこぼれた水を、空気吸込口体の下面で清掃面に押し広げないので、効率良く吸込むことができるようになる。
【００１６】
そして、最も大きな理由としては、空気吸込口体から清掃面に向けて排気を噴き出す力を利用して、清掃効率を向上させるようにしたことである。例えば、カーペットの繊維の間や畳の目の間に埃やゴミが付着していると、吸込みだけではこれらを効率良く取り除くことができないことがあるが、排気圧（空気）でカーペットや畳を叩く（吹き付ける）と、繊維の間や畳の目に付着している埃やゴミを浮かすことができるのであり、このようにして浮上した埃やゴミを吸込んで除去することができるのである。
【００１７】
空気吸込口体を浮上させる力は、空気吸込口体の排気噴出口から空気吸込口の間に排気を流通させることによって可能となる。また、空気吸込口体に設けられている排気噴出口から排気を噴き出す圧力（排気圧）も浮上作用に好ましい影響を与えるのである。
【００１８】
この排気は、掃除機本体内に装備されている電動ファンの回転により生じる。すなわち、掃除機内の電動ファンを回転させると、空気吸込口体から掃除機本体内に向けた負圧が発生し、この負圧によって吸込まれた空気は、掃除機内のフィルタを通過した後、掃除機の外に排出されるが、本発明の排気循環型掃除機では、この排気を、掃除機本体内から、吸込みとは別の配管経路を通じて再び空気吸込口体から噴出（排出）させるようにしたのである。つまり、この排気を床面などの清掃面に向けて噴出し、更にこの排気を、床面と空気吸込口体の下面の間に流通させて空気吸込口体を自然に浮き上がらせ、この過程で床面などの上の埃やゴミを排気の流れに乗せて、その後、排気とともに空気吸込口から吸込んで掃除機本体内に回収するようにした。
【００１９】
本発明の排気循環型掃除機の使用状況下において、例えば空気吸込み用延長パイプを手で持ち上げようとすると、大気圧の影響で空気吸込口体が清掃面に明らかに吸い付けられる方向の吸引力が作用するのである。
【００２０】
本発明の掃除機において、排気用配管は、吸込み用配管と全く別に設けても良いが、掃除をする作業者のハンドリングを低下させないためには、吸込み用配管を排気用配管内に設けたり、又は逆に、排気用配管の内部に吸込み用配管を設けたり、或いは、双方の配管の側壁同士が一体となって連設した一体構造の配管にすることが好ましい。
【００２１】
空気吸込口体を浮上させるためには、一定以上の排気圧と排気量を維持させる必要があるが、このために、掃除機本体内のファンの回転数を上げると、吸込み力も強くなって空気吸込口体が床面などの清掃面に吸着し易くなる。本発明の排気循環型掃除機では、排気圧を利用して空気吸込口体を浮上させるために、空気吸込口体に設けられている排気噴出口の位置と、排気を噴出す向きと、排気噴出口と空気吸込口との位置関係、空気吸込口体の下部形状などについて考慮したものである。
【００２２】
本発明の掃除機においては、空気吸込口体に設けられている排気噴出口を、空気吸込口体の下部中央部に設けるとともに、排気噴出口をバランスの良い位置に設けることによって、浮上し易く、浮上姿勢のバランスも安定するようになるのである。
【００２３】
そして、排気噴出口を、床面などの清掃面に対して垂直に向け、或いは、この垂直方向よりも若干内向きに向けて、排気が空気吸込口体の下方で滞留し易い状態で空気吸引口に向かうようにして、空気吸込口体を浮かせ易くしたのである。
【００２４】
排気噴出口と空気吸込口との位置関係について、空気吸込口体の底面が幅広い形状の場合には、排気噴出口と空気吸込口との間隔をできるだけ広くして、空気吸込口体の下面と清掃面との間に、できるだけ多くの排気が滞留し易い状態で空気吸込口に流通するように構成したのである。更に好ましくは、空気吸込口体がバランスを欠いた姿勢で浮上しないように、空気吸込口を片寄った位置に設けないようにしたものである。
【００２５】
ところで、空気吸込口体の下部形状については、排気の大部分が空気吸込口体の下部側方に流れ出ないように構成されている。
【００２６】
ところで、本発明においては、排気噴出口から噴出される排気圧又は排気量を高くすれば空気吸込口体が浮上し易く、逆に、排気圧又は排気量を低くすれば、空気吸込口体は浮上し難くなることは言うまでもないが、前記排気圧又は排気量を高くすれば、その排気圧が高いために、空気吸込体の下部側方から内部に吸引する力に勝って、ゴミや塵などを含んだ空気（排気）がそのまま直進し、このゴミや塵などを含んだ空気（排気）が空気吸込口体の外方に漏出、飛散する恐れがある。一方、排気圧又は排気量を低くすれば、前述のような漏出、飛散の問題が発生しない反面、空気吸込体が浮上し難くなるという問題が生じる。
【００２７】
そこで、本発明においては、排気噴出口から噴出される排気圧又は排気量をさほど高くしないように調整してゴミや塵更に埃などを含んだ空気（排気）が空気吸込口体の外方に漏出、飛散するのを防止する一方、空気吸込口体における平面部の終端を上方向の湾曲状に形成して、そのまま空気吸込口の内壁面へと連接することで、排気噴出口から噴出された排気が、前記平面部における終端の湾曲面に沿って上昇することによって、空気吸込口体が一層浮上し易くなる上、排気の外方への漏れが防止されて当該排気の循環が円滑になるだけでなく、ゴミや塵更に埃などの回収が至極容易に行われるように構成するのが最も望ましい。
【００２８】
このように、本発明においては、空気吸込口体の下面と清掃面との間を流通した排気が、空気吸込口体における平面部の終端を上方向の湾曲状に形成して、そのまま空気吸込口の内壁面へと連接することで、空気吸込口体を更に浮上させる効果が得られると共に、塵や埃更にゴミなどを含む空気（排気）が上方向に吸引、循環し易い構造にしたものが最も望ましい。
【００２９】
そして、本発明の掃除機においては、排気噴出口から噴出される排気圧を高めて空気吸込口体を清掃面から浮上させ易くするために、排気噴出口又は排気噴出口近傍の排気路が絞られているものが望ましい。
【００３０】
即ち、排気を幅広く行なうと高い排気圧が得られないが、このように排気の出口を絞ると、空気吸込口体の下部の一部から下方に向けて排気が力強く噴き出されるので、空気吸込口体を浮上させるのに役立つからである。
【００３１】
更に、本発明の掃除機においては、排気噴出口及び平面部の下面に、通気性を有する面状体を被覆することも可能である。この面状体は、排気圧（空気）で浮かすことができない清掃面に付着したゴミや汚れまでも、拭き取って、清掃面を清掃せんとするものである。
【００３２】
つまり、通常の使用時では、空気吸込口体が清掃面を浮上しながら埃やゴミを浮かせて除去できるが、清掃面には、排気圧（空気）で浮かすことができないような頑固なゴミや汚れが付着している場合もある。そのため、このような場合には、空気吸込口体を浮上させている力に抗しながら、空気吸込口体を清掃面に押圧し、面状体を清掃面に密着させて、頑固なゴミや汚れを拭き取ることで、清掃面をより確実に清掃することができるのである。そして、面状体で拭き取った後には、空気吸込口体への押圧を解除するだけで、空気吸込口体は、再び浮上して、通常の使用状態に戻されるのである。なお、面状体は、新品と取替え可能なように、着脱可能にしておくのが好ましい。
【００３３】
ところで、空気吸込口体を安定した姿勢で浮上させるために、強い排気の噴き出し力を維持させようとすると、掃除機本体内のファンの回転数が高くなって、強い吸込み力が得られるが、このようにすると、空気吸込口体が床面などの清掃面に吸着し易くなる。このため、空気の吸込み、排気の圧力バランス及び流量のバランスが必要となるのである。
【００３４】
このため、本発明では、更に、前記掃除機本体、前記配管又は前記空気吸込口体のいずれか１つ、或いはこれらのいずれかに接続される接続管に、空気吸込口体の浮上に必要な排気圧及び排気量の調整を行なう圧力調整バルブが設けられているものが望ましい。
【００３５】
この圧力調整バルブの調整は、手動で行なっても良いが、手動による圧力調整は面倒であり、電動ファンの回転数の変化に追随させて調整をするのは容易でない場合が生じることも考えられる。
【００３６】
このため、本発明の掃除機においては、更に、圧力調整バルブの作動が、空気吸込口体を浮上させるために必要な排気圧又は排気量のデータと圧力制御プログラム又は流量制御プログラムがメモリに格納されたマイコン制御で行なわれるように構成されているものが好ましい。
【００３７】
また、本発明では、更に、他の構成として、圧力調整バルブの作動が、掃除機本体内に装備されている電動ファンの回転数のデータ、又は電動ファンを回転させているモータの駆動電流の変化のデータを基にした制御プログラムがメモリに格納されたマイコン制御で行なわれているものが望ましい。
【００３８】
圧力調整バルブをマイコン制御する場合、その制御は、予め、マイコン内のメモリに記憶した吸込みバルブの浮上に最適とされる圧力数値、流量数値、電動ファンの回転数、モータに流れる駆動電流の数値のいずれか又は複数がシュミレーションされた制御プログラムに沿って行なわれ、マイコン制御は、吸込み又は排気あるいは双方の圧力を検知するセンサ、電動ファンの回転数を検知するセンサの少なくとも１つのセンサによる検知信号を検知して制御されるように構成するのが望ましい。このように構成すると、電動ファンの回転数を一定範囲内で変化させても、空気吸込口体を浮上させることができる。
【００３９】
また、本発明においては、空気吸込口体から床面の埃やゴミなどを吸込んで集塵するだけでなく、空気とともに床面や壁面又はガラス面等の清掃面に付着している水や水分も吸込むことができることが望ましいことから、掃除機本体内には、空気吸込口体の排気噴出口から噴き出した水及び水分を回収する回収水貯留容器が設けられているものが望ましい。
【００４０】
ところで、上述した本発明の掃除機において、排気は、空気だけを排気する乾式のものであるが、本発明では、更に、掃除機本体内、又は該掃除機本体に隣接した箇所に、洗浄水貯蔵容器が設けられて、当該洗浄水貯蔵容器内の洗浄水が、送風ファンの回転によって発生した空気の加圧及び／又は負圧によって、或いは、掃除機本体内に設けられているポンプの駆動によって、空気吸込口体の排気噴出口から、空気とともに噴き出されて清掃面を洗浄し、洗浄後の水が、空気吸込口体の空気吸込口から掃除機本体内の回収水貯留容器内に回収されるように構成されているものが望ましい。
【００４１】
この湿式の排気循環型掃除機においては、上述した乾式の構造も備えるとともに、排気中に洗浄水を混入させて排気とともに空気吸込口体の排気噴出口から床面などに向けて噴出し、この洗浄水によって床面などの清掃面を洗浄し、床面などのシミや汚れを取り除いた後、その洗浄後の汚水を、空気吸込口から吸込んで、掃除機本体内に送って回収するものである。
【００４２】
このように、空気吸込口体の排気噴出口から、空気とともに、霧状又は水滴状の洗浄水を噴出すようにすると、この水分で床面に付着しているシミや汚れも除去できるのである。しかも、空気吸込口体を前後に移動させる過程で、噴き出したきれいな洗浄水ですすぎもできるようになる。そして、洗浄後の汚れた水分や洗浄に使用した水分を、空気吸込口体の空気吸込口から吸込んで、掃除機本体内に送り込んで回収できるようになるのである。
【００４３】
また、この湿式の排気循環型掃除機の場合には、前記した排気噴出口及び平面部の下面に被覆される面状体は、通気性及び通水性を有するものを用いられる。
【００４４】
そして、本発明では、更に、前記掃除機において、洗浄水貯蔵容器内に、又は洗浄水が流通する配管部分に、洗浄水を温水にするヒーターが設けられ、該ヒーターで温められた温水が、空気とともに空気吸込口体の排気噴出口から噴き出されるように構成されているものが一層望ましいのであり、床面に付着したシミや汚れの除去が温水で一層良好に行なわれたり、洗浄後の床面などを効果的に乾燥することができるのである。
【００４５】
更に、本発明の掃除機においては、洗浄水貯蔵容器又は洗浄水が流通する配管の途中箇所に、当該洗浄水を蒸気化させる蒸気発生器が設けられ、蒸気が、空気とともに空気吸込口体の排気噴出口から排出されるように構成されているものが好ましいのであり、このように構成すると、排気噴出口から蒸気を噴射して、床面に付着したよごれや油分を含んだ汚れも更にきれいに除去できるようにしたのである。
【００４６】
そして、本発明の掃除機においては、洗浄水貯蔵容器が、消毒液又は殺菌液或いは除菌液用の容器で構成されているものが望ましく、このように構成すると、例えば、病院の床面に付着している雑菌、病原菌などを殺菌する消毒液を、空気吸込口体から空気とともに病院の床面等の清掃面に吹き付けて、院内感染を防止することができるのである。
【００４７】
以上において説明した本発明の掃除機においては、床清掃用及び／又は床洗浄用のものが挙げられるのであり、また、吸込口体浮上式排気循環型掃除機は、窓ガラス洗浄用及び／又は壁面洗浄用のものが挙げられる。
【００４８】
本発明の掃除機において、洗浄水や洗浄液、温水、水蒸気又は消毒液などを排気とともに噴出する構造のものにおいては、空気吸込口体を前後に移動させる過程で、洗浄とすすぎを行うことができるのである。すなわち、排気噴出口から空気とともに噴出した水又は水蒸気等によって、床面などを洗浄又は殺菌し、この洗浄又は殺菌した後の汚れた汚水を空気吸込口から吸込むだけでなく、空気吸込口体の移動によって、再度、きれいな水分を噴射させて流通させることによって、すすぎを行ない、このすすいだ後の水分も空気吸込口から吸込んで回収できるようにしたものである。
【００４９】
また、本発明では、排気循環型掃除機の一部を構成する空気吸込口体についても、権利化を図るようにすることが好ましいと判断したのであり、本発明に係る空気吸込口体においては、前述のいずれか１項に記載の排気循環型掃除機の一部を構成してなる空気吸込口体であって、この空気吸込口体における下部中央箇所に排気噴出口が設けられ、該排気噴出口における出口の周囲に、排気を清掃面に流通させて空気吸込口体を清掃面から浮上させるための平面部が形成され、更に、該平面部の周囲に空気吸込口が形成されていることを特徴とするものである。
【００５０】
このように、空気吸込口体の下部中央箇所に排気噴出口を設けると、排気噴出口から空気吸込口に至る排気の流通経路が、平面方向に左右及び前後方向に均等に広がるため、空気吸込口体が安定して姿勢で浮上し易くなる。又、空気吸込口を排気噴出口の周囲に設けると、空気吸込口体の下方の幅広い面で、掃除ができるのである。
【００５１】
また、本発明では、排気噴出口が、横方向の長さが長く、前後方向の幅が狭く形成されたスリット状に形成されている空気吸込口体も好ましいのであり、このように構成すると、横方向に幅広く形成された排気噴出口によって、空気吸込口体を前後に移動させたときに、床面などを幅広く清掃ができるので望ましい。
【００５２】
このように、排気噴出口が、横方向に長さが長く、前後方向の幅が狭く形成されたスリット状に形成されていると、排気噴出口から噴き出されて空気吸込口体の下面と清掃面との間に流通する排気が、空気吸込口体の下方に幅広く広がって、空気吸込口体を左右バランス良く浮上させることができるのである。
【００５３】
また、本発明では、空気吸込口が、空気吸込口体の下部周縁に沿った矩形、円形、楕円形のいずれかの形状に形成されているものも望ましいのであり、空気吸込口体の下部周縁に沿って形成された空気吸込口によって、空気吸込口体の下部の幅広い面で高効率の清掃能率が得られるのである。
【００５４】
ところで、本発明において、スリット状とは比較的狭い幅で、しかも長尺状の長穴のことをいう。
【００５５】
また、本発明においては、空気吸込口体の平面部を着脱自在に構成することによって清掃面との間隔を調整可能に形成されているものも望ましい。
【００５６】
このように、清掃面との間隔を調整可能に形成されていると、空気吸込口体の下面と清掃面との間に流通する排気を、空気吸込口体の下方で滞留させ易くして、空気吸込口体の浮上を更に高めることができるようになる。
【００５７】
更に、本発明に係る空気吸込口体おいては、排気噴出口から噴出される排気圧又は排気量をさほど高くしないように調整してゴミや塵更に埃などを含んだ空気（排気）が空気吸込口体の外方に漏出、飛散するのを防止する一方、空気吸込口体における平面部の終端を上方向の湾曲状に形成して、そのまま空気吸込口の内壁面へと連接することで、排気噴出口から噴出された排気が、前記平面部における終端の湾曲面に沿って上昇することによって、空気吸込口体が一層浮上し易くなる上、排気の外方への漏れが防止されて当該排気の循環が円滑になるだけでなく、ゴミや塵更に埃などの回収が至極容易に行われるように構成するのが最も望ましい。
【００５８】
このように、本発明においては、空気吸込口の下面と清掃面との間を流通した排気は、空気吸込口体における平面部の終端を上方向の湾曲状に形成して、そのまま空気吸込口の内壁面へと連接することで、空気吸込口体を更に浮上させる効果が得られると共に、埃やゴミ更に塵などを含む空気（排気）が上方向に吸引、循環し易い構造にした空気吸込口体も好ましいのである。
【００５９】
本発明に係る空気吸込口体を、以上のように構成すると、空気吸込口体における排気噴出口から噴出された空気が直ちに空気吸込口から吸込まれないので、空気吸込口体を浮上させる作用が向上し、しかも、排気噴出口から空気とともに噴出される洗浄水、洗浄液、温水、水蒸気、消毒液などが清掃面に接する機会が多くなるので、洗浄や除菌又は殺菌が効果的に行なえるのである。ここにいう空気の流通路は、噴出後の排気が空気吸込口に吸い込まれるまでの時間が長くなったり、排気がすぐに空気吸込口体の周囲の外方向に逃げ難くなるようにするものも含まれる。
【００６０】
また、本発明においては、排気噴出口及び平面部の下面に、通気性、又は、通気性及び通水性を有する面状体を被覆することも可能である。
【００６１】
この面状体は、スポンジ、布、化学繊維等の多孔質材で形成され、耐久性が良く、安定した通気性を得ることができ、空気吸込口体を浮上させている力に抗しながら、空気吸込口体を清掃面に押圧し、面状体を清掃面に密着させて、頑固なゴミや汚れ更に塵などを拭き取ることで、清掃面をより確実に清掃することができるのである。なお、面状体は、新品と取替え可能なように、着脱可能にしておくのが好ましい。
【００６２】
また、本発明に係る空気吸込口体においては、排気循環型掃除機に取り付けられ、且つ窓ガラス又は壁面などを洗浄するための空気吸込口体であって、この空気吸込口体は、筒形状を有する外筒と、該外筒内に間隔を設けて形成された内筒とを有し、しかも前記外筒に連接され、且つ横方向に扇形に広がる外側ケース部と、前記内筒に連接され、且つ前記外側ケース部内に沿うように当該外側ケース部よりも小形状を有し、しかも横方向に扇形に広がる内側ケース部とからなり、前記前後の外側ケース部と内側ケース部との間には、それぞれ所定間隔を設けて排気路が形成されており、又、前記内筒に連通する内側ケース部内に空気吸込み路が形成されており、この空気吸込み路の前端である内側ケース部の前端には横方向に長いスリット形状の空気吸込口が形成されており、更に、前記排気路の前端である前後の外側ケース部と内側ケース部との間においてその前端には、それぞれ横方向に長いスリット形状の排気噴出口が形成されていることを特徴とするものである。
【００６３】
この空気吸込口体においては、排気噴出口から空気と共に、洗浄水、洗浄液、温水又は消毒液などのいずれかが混じって噴出されるものである。そして、このように、排気噴出口と、空気吸込口を横方向に長く形成すると、１回の操作で幅広く窓ガラスを掃除することができるのである。しかも、排気噴出口に近接して沿った両側に空気吸込口が設けられているので、排気噴出口から噴出した水分によって、窓ガラスをきれいに洗浄し得るのであり、又、洗浄後の汚水を、下方に落下させることなく、全て空気吸込口から吸込みすることができるのであり、これによって、通行人に汚水を掛けたり、落下面を汚すことが無いので望ましい。ところで、この窓ガラス又は壁面を洗浄するための空気吸込口体においては、当該空気吸込口体が、床面清掃用の空気吸込口体と比較して軽量であるため、必ずしも、窓ガラス面又は壁面から浮上させる必要がないのである。
【発明の効果】
【００６４】
以上の如き構成を有する本発明の排気循環型掃除機によれば、次のような効果を奏するのである。
【００６５】
第１に、本発明の排気循環型掃除機においては、当該掃除機における空気吸込口体から噴出した排気によって、空気吸込口体を清掃面から僅かに浮上させることができるようになっているので、空気吸込口体を浮上させた状態で清掃面上を前後に移動させながら、清掃面上のゴミ、埃、水等を吸込んで回収できるのである。この結果、カーペットの掃除をするときに、空気吸込口体の吸込み力でカーペットが吸い付くといった不具合を無くすることができる上、空気吸込口体の前後方向の移動も円滑に行なえるなどの効果を奏するのである。
【００６６】
また、空気吸込口体を前後に移動させて掃除をするときに、畳やカーペットを空気吸込口体で擦って、傷付ける等の弊害が発生しないなどの効果を奏するのである。
【００６７】
第２に、本発明の排気循環型掃除機においては、空気吸込口体から清掃面に向けて排気を噴き出すようにしている結果、この噴出力を利用して、カーペットの繊維の間や畳の目の間に付着している埃や粉かなゴミを浮き出した後、これを吸込むという、高い清掃効果が得られるなどの効果を奏するのである。
【００６８】
第３に、本発明の排気循環型掃除機においては、空気吸込口体における平面部の終端を上方向に湾曲させて空気吸込口の内壁面へと連設させ、これによって、排気噴出口から噴出された排気が、前期平面部における終端の内壁面に誘導されて上方向に循環され易い構造に形成されている。
【００６９】
そのため、本発明の排気循環型掃除機においては、排気噴出口から噴出される排気圧又は排気量をさほど高くしないように調整してゴミや塵更に埃などを含んだ空気（排気）が空気吸込口体の外方に漏出、飛散するのを防止する一方、空気吸込口体における平面部の終端を上方向の湾曲状に形成して、そのまま空気吸込口の内壁面へと連接することで、排気噴出口から噴出された排気が、空気吸込口の下面と清掃面との間を流通し、前記平面部における終端の湾曲面に沿って上昇することによって、空気吸込口体が一層浮上し易くなる上、排気の外方への漏れが防止されて当該排気の循環が円滑になるだけでなく、ゴミや塵更に埃などの回収が至極容易に行われるなどの効果を奏するのである。
【００７０】
第４に、本発明の排気循環型掃除機においては、排気噴出口及び平面部の下面には、通気性、又は、通気性及び通水性を有する面状体が被覆されているので、この面状体で排気圧（空気）で浮かすことができない清掃面に付着したゴミや汚れまでも、浮遊ないし拭き取って、清掃面を確実に清掃できるのである。
【００７１】
第５に、本発明の排気循環型掃除機においては、空気吸込口体から噴出する排気の圧力を、圧力調整バルブで調整することができるように構成すると、空気吸込口体を、更にバランス良く浮上させて清掃することができるようになり、更には、この圧力調整バルブの制御をマイコン制御で行なえるようにすると、手動で圧力調整バルブの調整を行う必要が無くなり、従って、電動ファンの回転数の変化に対しても、空気吸込口体をバランス良く浮上させることができるなどの効果を奏するのである。
【００７２】
第６に、本発明の排気循環型掃除機においては、掃除機本体内に、吸込んだ汚水や水分を貯める回収水貯留容器を設けると、床面などにこぼれている汚水なども吸込んで回収できるので、作業性が一層向上するなどの効果を奏するのである。
【００７３】
第７に、本発明の排気循環型掃除機においては、空気吸込口体から、洗浄水、洗浄液、温水、水蒸気などのいずれかを、空気とともに噴射することができるように構成すると、床面の埃やゴミ等を吸込みするだけでなく、床面を水拭きしたように綺麗に清掃することができる結果、特に、床面などに付着している頑固な汚れや油分を含んだ汚れ更にシミ等も洗浄できるのであり、又その後、洗浄後の汚水も吸込むことができるのである。特に、空気吸込口体を前後に移動させて掃除を行なう過程で、床面などにきれいな洗浄水などを噴き出してすすぎができるようになるのである。しかも、洗浄からすすぎ、埃やゴミ等と共に、洗浄やすすぎに使用した水分（汚水）の回収という一連の工程は、空気吸込口体を前後に移動させるだけで行なえるようになり、清掃作業の短縮を実現させることができるなどの効果を奏するのである。
【００７４】
第８に、本発明に係る排気循環型掃除機の一部を構成してなる空気吸込口体においては、この空気吸込口体における下部中央箇所に排気噴出口が設けられ、該排気噴出口における出口の周囲に、排気を清掃面に流通させて空気吸込口体を清掃面から浮上させるための平面部が形成され、更に、該平面部の周囲に空気吸込口が形成されていると、空気吸込口体の浮上をバランス良く行うことができるうえ、空気吸込口を排気噴出口の周囲に設けたことによって、空気吸込口体の下方の幅広い面で、清掃ができるので、清掃の作業性が著しく向上するなどの効果を奏するのである。
【００７５】
又、本発明に係る排気循環型掃除機の一部を構成してなる空気吸込口体においては、平面部の終端は、上方向に湾曲されたうえで、空気吸込口の内壁面へと連設されてなり、排気噴出口から噴出された排気が、前記平面部の終端における内壁面に誘導されて上方向に循環され易い構造に構成されてなり、これによって、排気噴出口から噴出される排気圧又は排気量をさほど高くしないように調整してゴミや塵更に埃などを含んだ空気（排気）が空気吸込口体の外方に漏出、飛散するのを防止する一方、空気吸込口体における平面部の終端を上方向の湾曲状に形成して、そのまま空気吸込口の内壁面へと連接することで、排気噴出口から噴出された排気が、前記平面部における終端の湾曲面に沿って上昇することによって、空気吸込口体が一層浮上し易くなる上、排気の外方への漏れが防止されて当該排気の循環が円滑になるだけでなく、ゴミや塵更に埃などの回収が至極容易に行われる結果、清掃の作業性が著しく向上するなどの効果を奏するのである。
【００７６】
このように、本発明においては、空気吸込口体における平面部の終端を上方向の湾曲状に形成して、そのまま空気吸込口の内壁面へと連接することで、空気吸込口体の平面部と清掃面との間を流通した排気が、空気吸込口体を更に浮上させる効果が得られると共に、塵や埃更にゴミなどを含む空気（排気）が上方向に吸引、循環し易くなるなどの効果を奏するのである。
【００７７】
又、本発明に係る排気循環型掃除機の一部を構成してなる空気吸込口体においては、窓ガラス及び壁面などを洗浄する空気吸込口体であって、当該空気吸込口体を、内側に排気噴出口が横方向に長いスリット形状に形成されている一方、空気吸込口が排気噴出口に沿って近接した前後に２箇所にスリット形状に形成された窓拭き用の空気吸込口体に構成すると、排気噴出口から噴出した水分によって、窓ガラスをきれいに洗浄し得るのであり、また、洗浄後の汚水を、下方に落下させることなく、全て空気吸込口から吸込みすることができるのであり、これによって、通行人に汚水を掛けたり、落下面を汚すことが無いなどの効果を奏するのである。
【発明を実施するための最良の形態】
【００７８】
以下、本発明を実施するための最良の形態について実施例に基づき詳細に説明するが、本発明はこれに限定されるものではないのである。
【実施例１】
【００７９】
図１は本発明の実施例１に係る排気循環型掃除機を示す全体斜視図であり、図２はその掃除機における掃除機本体の内部において流体の流れを示す模式図である。
【００８０】
図１に示す実施例１の排気循環型掃除機（以下、実施例１の掃除機と略称する。）１は、掃除機本体２と、空気吸込み用ホース８と、空気吸込み用延長パイプ９と、排気用ホース１１と、排気用延長パイプ１２と、排気用ホース１１を空気吸込み用ホース８内に接続するアタッチメント１３と、空気吸込口体１４とが組み付けられたもので構成されている。
【００８１】
尚、空気吸込口体１４は図示した形状のものに限らず、清掃箇所に応じた他の形状のものにも交換可能に構成されており、また、掃除機１には、紙パックフィルターを用いないサイクロン式のものも含まれる。
【００８２】
図１及び図２に示すように、掃除機本体２は、掃除機本体ケース３内に電動モータ（図示せず）の駆動力を得て回転する電動ファン４と、集塵を補足するフィルタ５が内装されており、この掃除機本体ケース３には、空気吸込口６と、排気噴出口７とが設けられている。そして、この掃除機本体ケース３内には、この場合、吸込んだ汚水の回収水貯留容器４５が収容されている。
【００８３】
この実施例１の掃除機１の使用においては、空気吸込み用延長パイプ９の手元側に設けられている手元スイッチ１０をＯＮにして、掃除機本体２内の電動ファン４を回転させて、空気吸込口体１４内から空気吸込み用延長パイプ９及び空気吸込み用ホース８を通じて掃除機本体ケース３内に、塵やゴミ等を含む空気を吸引させて電動フィルタ５で塵やゴミを集塵・補足するとともに、これらとともに水分を吸い込んだときには、水分を回収水貯留容器４５内に貯留し、塵やゴミ更に水分を除去した排気を、排気用ホース１１から排気用延長パイプ１２を通じて、空気吸込口体１４から外部に噴き出し、この排気を再び空気吸込口体１４で吸引するという排気循環が行なわれる。
【００８４】
そして、その使用においては、空気吸込口体１４から噴き出した排気によって、空気吸込口体１４を、床面などの掃除面から浮上させることができるのである。この掃除機１の使用状況下において、例えば空気吸込み用延長パイプ９を手でもって持ち上げようとすると、前記空気吸込口体１４は大気圧の影響によって清掃面に吸い付くような方向の吸引力が発生するのである。
【００８５】
図１及び図２に示す実施例１の掃除機では、清掃員が取り扱い易いように、排気用ホース１１の一部が空気吸込み用ホース８内に導入され、排気用延長パイプ１２が空気吸込み用延長パイプ９内に設けられている。このように、空気吸込口体１４は、空気を吸込むだけでなく、排気も行なわれるように構成されている。
【００８６】
このように、図１〜図６に示すように、実施例１の掃除機１では、空気吸込み用延長パイプ９内に排気用延長パイプ１２が設けられており、これらの先端部と空気吸込口体１４との接合は、図３の断面図に示すように、空気吸込み用延長パイプ９を空気吸込口体１４のパイプ１６に接合したときに、排気用延長パイプ１２も同時に空気吸込口体１４の該当箇所に接合されるように構成されている。
【００８７】
また、図４に示すように、双方の延長パイプ９，１２を、長尺方向に沿った中央の仕切板１６ａが形成された１本のパイプ１６で構成しても良いのである。
【００８８】
そして、図１及び図２に示す実施例１の掃除機１においては、後述する図５（ｂ）に示すように、空気吸込口体１４が清掃面Ｆから浮上してこの姿勢が維持されるように、排気の噴出量が自動制御されるように構成しても良いのである。この場合、この制御は、掃除機本体２内の電動ファン４の回転数が、空気吸込口体１４を浮上させるのに必要なデータと比較して、最適な回転数になっているのかを比較・演算することにより行なわれ、これらはマイコン制御で行なわれる。このため、掃除機本体２内には、電動ファン４の回転数を検知するセンサＳと、制御回路基板を内装した制御回路ボックスＮが設けられている。
【００８９】
図５において（ａ）図は、本発明の実施例１による排気循環型掃除機の一部を構成する第１形状の空気吸込口体を示す斜視図であり、図５において（ｂ）図は、第１形状の空気吸込口体を側面断面図で示す作用図である。
【００９０】
図５において（ａ）図及び（ｂ）図に示す第１形状の空気吸込口体１４は、横方向に長く形成された矩形の箱形を有するケース部１５の上面中央から上方に向けて、短尺状で、しかも前記空気吸込み用延長パイプ９に接続するための空気吸込み用パイプ１６が突出されており、この空気吸込み用パイプ１６内には、当該空気吸込み用パイプ１６よりも小径の排気用パイプ１７が位置し、空気吸込み用パイプ１６の下部が空気吸込口体１４の下部周縁に沿って形成された空気吸込口１８に連通し、排気用パイプ１７の下部が空気吸込口体１４の下部中央面に形成されている排気噴出口１９に連通し、ケース部１５の下部に、空気吸込口１８と排気噴出口１９を形成している平面部２０が設けられ、この平面部２０の下面とケース部１５の下縁とを面一に揃えた形状を有している。
【００９１】
図５において（ａ）図に示すように、この第１形状の空気吸込口体１４の下面に形成されている排気噴出口１９は、左右方向に長く形成され、且つ前後方向に幅狭く形成されたスリット状に形成されており、この排気噴出口１９の出口周囲には平面部２０による平坦面が形成され、この平面部２０の周縁部と空気吸込口体１４の矩形のケース部１５の下端周縁部との間に空気吸込口１８が形成されている。
【００９２】
図５の各図に示すように、この第１形状の空気吸込口体１４の使用においては、掃除機本体２から、電動ファン４の回転によって排気路Ａ内に送られてきた排気が、排気噴出口１９から清掃面Ｆに向けて垂直方向に噴出され、この噴出された排気圧によって、噴出された後に空気吸込口体１４の下面と清掃面Ｆとの間を流通する排気とによって、空気吸込口体１４を清掃面Ｆから浮上させるように構成されているのであり、この状態で、空気吸込口体１４を前後に円滑に移動させて使用することができるのである。
【００９３】
すなわち、図５において（ｂ）図に示すように、空気吸込口体１４には、自身の重さと、大気圧、更に空気吸込口１８から空気が吸い込まれる吸引力とによって、清掃面Ｆに押し付けられる方向（矢Ｐ方向）に力が働くが、空気吸込口体１４の排気噴出口１９から噴出された排気が、空気吸込口体１４の下面と清掃面Fとの間に作用、流通するため、空気吸込口体１４には、常に浮き上がる方向（矢Ｕ方向）が働いて、空気吸込口体１４が常に一定の間隔を保って床面Ｆから浮上するのである。
【００９４】
このように空気吸込口体１４が浮上した状態で清掃が行なわれると、空気吸込口体１４が、円滑に清掃面Ｆ上を移動させることができる結果、清掃面Ｆに吸着したり、カーペットなどに吸着させたりしないのである。しかも、排気によって清掃面Ｆ上の埃やゴミが浮上し、排気とともに、空気吸込口１８から空気吸込み路Ｂ内に吸引されて回収され、更にこの埃やゴミは電動フィルタ５に集塵・捕捉された後の排気が、再び排気路Ａ内に送られるという排気循環が行なわれるのである。
【００９５】
図６（ａ）図は、本発明の実施例１による排気循環型掃除機の一部を構成する第２形状の空気吸込口体を示す斜視図であり、図６（ｂ）図は、第２形状の空気吸込口体を側面断面図で示す作用図である。
【００９６】
図６の（ａ）図及び（ｂ）図に示す第２形状の空気吸込口体１４は、横方向に長く形成された矩形の箱形を有するケース部１５の上面中央から上方に向けて、短尺状で、しかも前記空気吸込み用延長パイプ９に接続するための空気吸込み用パイプ１６が突出されており、この空気吸込み用パイプ１６内には、当該空気吸込み用パイプ１６よりも小径の排気用パイプ１７が位置し、空気吸込み用パイプ１６の下部が空気吸込口体１４の下部周縁に沿って形成された空気吸込口１８に連通し、排気用パイプ１７の下部が空気吸込口体１４の下部中央面に形成されている排気噴出口１９に連通し、ケース部１５の下部に、空気吸込口１８と排気噴出口１９を形成している平面部２０が設けられ、この平面部２０の下面とケース部１５の下縁とを面一に揃えた形状を有している点では、図５で示したものと同様である。
【００９７】
ところが、この第２形状の空気吸込口体１４では、図６の（ａ）図及び（ｂ）図で示すように、平面部２０の終端を、上方向に湾曲されたうえで、空気吸込口１８の内壁面へと連設される湾曲面Ｒを形成し、排気噴出口１９から噴出された排気が、平面部２０の終端の湾曲面Ｒに誘導されて上方向に吸引、循環され易い構造に構成されている。
【００９８】
そのため、排気噴出口１９から噴出された排気は、平面部２０と清掃面Ｆとの間を流通するが、やがて排気は、平面部２０における終端の湾曲面Ｒに沿って、矢印で示すように、上方向に誘導、循環されるので、空気吸込口体１４が一層浮上し易くなるうえ、排気が空気吸込口体１４の外方に漏出、飛散するのを確実に防止できるのである。また、平面部２０の終端を上方向に湾曲させて、そのまま空気吸込口の内壁面へと連接されているので、排気の吸引、循環を円滑に行うことができるうえ、ゴミや塵更に埃などの回収が至極容易に行うことができるのである。
【００９９】
このように、この実施例では、平面部２０と清掃面Ｆとの間を流通した排気は、空気吸込口体１４における平面部２０終端の湾曲面Ｒに沿って上方に向かうので、空気吸込口体１４を更に浮上させる効果が得られると共に、埃やゴミ更に埃などが上方向に舞い上げられ、空気吸込み路Ｂ内から空気吸込み用パイプ１６内へとスムーズに吸引されて、排気循環が円滑に行われるのである。
【０１００】
図７において（ａ）図は、本発明の実施例１に係る排気循環型掃除機の一部を構成する第３形状の空気吸込口体を示す一部断面斜視図であり、図７において（ｂ）図は、同じくその底面図であり、図７において（ｃ）図は、同じくその側面断面図である。
【０１０１】
これら各図に示す第３形状の空気吸込口体１４は、横方向に長く形成された底面視矩形のケース部１５の上面中央から上方に向けて、短尺パイプで、しかも前記空気吸込み用延長パイプ９に接続するための空気吸込み用パイプ１６が突出されており、この空気吸込み用パイプ１６内には、当該空気吸込み用パイプ１６よりも小径の排気用パイプ１７が位置し、空気吸込み用パイプ１６の下部が、空気吸込口体１４におけるケース部１５とこのケース部１５に対して間隔を設けて形成されている内壁部分２２とによって形成された空間に連通しており、この空間が空気吸込路Ｂになり、この空気吸込路Ｂの下端部が、空気吸込口１８に構成されている。
【０１０２】
そして、空気吸込み用パイプ１６の内部に小径の排気用パイプ１７が位置し、この排気用パイプ１７の下端部は、下方に向かうに従って幅広く形成され、前後の幅が狭く形成された内壁２９と平面部２０とに囲まれて形成された排気路Ａ内と連通しており、平面部２０の中央には、左右方向に長いスリット状の排気噴出口１９が形成されている。
【０１０３】
この第３形状の空気吸込口体１４の平面部２０は、空気吸込口体１４の下面に嵌まり込んだ状態で、ビス２３，２３・・で止められて着脱自在に装着されており、このビス２３，２３・・を取り外すことによって平面部２０を取り除くことにより、空気吸込口体１４の下面の間隔を大きく調整することができるのである。
【０１０４】
図８において（ａ）図は、平面部を着脱自在に装着した状態の空気吸込口体の下部周辺部を示す側面部分断面図であり、同（ｂ）図は、平面部を取り外した状態の空気吸込口体の下部周辺部を示す側面部分断面図である。
【０１０５】
図８において（ａ）図に示すように、空気吸込口体１４の下部に平面部２０が着脱自在に装着された状態では、排気噴出口１９から噴出された排気が清掃面Ｆに衝突し、更に、この排気が排気噴出口１９から空気吸込口１８方向に流れることによって、空気吸込口体１４を上方に押し上げて、清掃面Ｆから浮上させることができるのである。
【０１０６】
これに対して、図８において（ｂ）図に示すように、空気吸込口体１４の下部に着脱自在に装着されている平面部２０を取り外すと、空気吸込口体１４の下面の位置、間隔が平面部２０の厚さ相当分広がり、しかも、空気吸込口１８の周囲がこの高くなった下面より低い位置になるため、排気噴出口１９から空気吸込口１８に流れる排気が、空気吸込口体１７の下方で滞留しながら空気吸込口１８に流れる。このため、空気吸込口体１４は、更に、浮上し易い状態になるのである。
【０１０７】
図９（ａ）図は、排気噴出口及び平面部の下面に、通気性、又は、通気性及び通水性を有する面状体を被覆した状態の空気吸込口体を示す斜視図であり、図９（ｂ）図は、同じくその下部周辺部を示す側面断面模式作用図である。
【０１０８】
この面状体Ｓは、スポンジ、布、化学繊維等の多孔質材を矩形状に形成し、平面部２０を巻き込むようにして取付けている。
【０１０９】
図９（ｂ）に示すように、排気噴出口１９から噴出された排気は、面状体Ｓを通気して清掃面Ｆに衝突し、更に、この排気が排気噴出口１９から空気吸込口１８方向に流れることによって、空気吸込口体１４を上方に浮上させながら、埃やゴミを除去している。
【０１１０】
ところが、清掃面Ｆには、排気圧（空気）で浮かすことができない頑固なゴミや汚れなどが付着していることもある。
【０１１１】
このような場合には、空気吸込口体１４を浮上させている力に抗しながら、空気吸込口体１４を清掃面Ｆに押圧して、面状体Ｓを清掃面に密着させながら移動すれば、清掃面Ｆに付着した頑固なゴミや汚れを拭き取ることができ、清掃面Ｆをより確実に清掃することができるのである。
【０１１２】
そして、面状体Ｓで拭き取った後には、空気吸込口体１４への押圧を解除するだけで、空気吸込口体１４は、再び浮上して、通常の使用状態に戻されるのである。
なお、面状体Ｓは、新品と取替え可能なように、着脱可能にしておくのが好ましい。
【実施例２】
【０１１３】
次に、本発明の実施例２に係る排気循環式掃除機について説明する。
図１０は本発明の実施例２に係る排気循環型掃除機を示す全体斜視図であり、図１１はその掃除機における掃除機本体の内部において流体の流れを示す模式図である。
【０１１４】
これら各図に示す、本発明の実施例２による排気循環型掃除機（以下、実施例２の掃除機と略称する。）１は、図１及び図２に示す実施例１の排気循環型掃除機１を改良したものであり、排気と共に、水分や水滴又は水蒸気などのいずれかを同時に噴出して、その後、これらを空気吸込口から回収することができるものである。
【０１１５】
図１０及び図１１に示す実施例２の排気循環型掃除機１は、空気吸込口体１４から空気と共に洗浄水Ｗを噴出すことができるように、掃除機本体ケース３の側部には水貯留容器２５が設けられている。そして、この掃除機本体ケース３内で回転する電動ファン４の回転によって生じる風圧が水貯留容器２５内に及ぶように、掃除機本体ケース３と水貯留容器２５とがパイプ２６で連通されている。そして、水貯留容器２５内に充填された水の排出用配管２７が、水貯留容器２５内から、空気吸込用ホース８及び空気吸込用延長パイプ９に沿って設けられており、この排出用配管２７の先端部が、空気噴出口体１４の空気噴出路に接続することができるように構成されている。それ以外の構造は、前述した実施例１の排気循環型掃除機と同様である。
【０１１６】
そして、この排出用配管２７の途中にバルブＶが設けられて、当該バルブＶの開・閉の調整が、空気吸込用延長パイプ１２の手元側に設けられている手元スイッチ１０の操作によって手動操作で行なわれるように構成されている。
【０１１７】
図１２において（ａ）図は、この実施例２の掃除機に用いられている空気吸込口体を示す斜視図であり、図１２において（ｂ）図はこの空気吸込口体を側面断面視して示す作用図である。
【０１１８】
図１０、図１１及び図１２の各図において、この実施例２の掃除機１によれば、電動ファン４の風圧によって、水貯留容器２５内に充填されている水Ｗが、排出用配管２７内を通じて空気吸込口体１４の排気噴出口１９から排気（空気）とともに噴き出される。この噴出される洗浄水Ｗは、霧又は水滴であり、図１２において（ｂ）図に示すように、この洗浄水Ｗの水分で清掃面Ｆを洗浄し、洗浄後の汚れた洗浄水が、排気（空気）と共に、空気吸込口体１４で吸込まれて掃除機本体ケース３内に送られる。そして、清掃時に、空気吸込口体１４を前後方向に移動させるだけで、水洗いと、すすぎと、汚れた水などの回収が行なえるのである。
【０１１９】
そして、図１１に示すように、空気中に含まれている埃やゴミは電動フィルタ５で集塵・補足され、又、汚水は回収水貯留容器４５内に回収され、濾過された排気が再び空気吸込口体１４に送られる。
【０１２０】
又、この実施例２の掃除機１も、排気を利用して空気吸込口体１４を清掃面から浮上させて使用されるのである。
【０１２１】
尚、掃除機本体２内の電動ファン４の回転によって配管内に生じる負圧を利用して、水Ｗが噴出方向に送り出されるように構成しても良いのである。
【０１２２】
このように、空気と共に、霧状又は水滴状の洗浄水が、タイル面やガラス面などの清掃面に噴出されると、埃やゴミなどを吸引すると共に、清掃面に付着している汚れも洗浄されて、洗浄後の汚れた水分は、掃除機本体２内に吸引されて、回収水貯留容器４５内に貯留される。
【０１２３】
図１３（ａ）図は、この実施例２の掃除機に用いられている他の空気吸込口体を示す斜視図であり、図１３（ｂ）図は、この空気吸込口体を側面断面視して示す作用図である。
【０１２４】
この空気吸込口体１４は、図１３の（ａ）図及び（ｂ）図に示すように、平面部２０の終端が上方向に湾曲されたうえで、空気吸込口１８の内壁面へと連設されており、これによって、排気噴出口１９から噴出された排気が、平面部２０における終端の内壁面（湾曲面Ｒ）に吸引、誘導されて上方向に循環され易い構造に形成されている点に特徴がある。
【０１２５】
この実施例の掃除機１でも、電動ファン４の風圧によって、水貯留容器２５内に充填されている洗浄水Ｗが、排出用配管２７内を通じて空気吸込口体１４の排気噴出口１９から排気（空気）とともに噴き出される。この噴出される洗浄水Ｗは、霧又は水滴であり、洗浄水Ｗの水分で清掃面Ｆを洗浄し、洗浄後の汚れた洗浄水が、排気（空気）と共に、空気吸込口体１４で吸込まれて掃除機本体ケース３内に送られる。そして、清掃時に、空気吸込口体１４を前後方向に移動させるだけで、水洗いと、すすぎと、汚れた水などの回収を行うことができるが、平面部２０の終端が、上方向に湾曲されたうえで、空気吸込口１８の内壁面へと連設される湾曲面Ｒに形成されており、排気噴出口１９から噴出された排気は、平面部２０の終端の湾曲面Ｒに吸引、誘導されて上方向に循環され易い構造に形成されている。
【０１２６】
そのため、排気噴出口１９から噴出された排気は、平面部２０と清掃面Ｆとの間の流通するが、やがて排気は、平面部２０の終端の湾曲面Ｒに沿って、矢印に示すように、上方向に吸引、誘導されるので、空気吸込口体１４が清掃面Ｆから一層浮上し易くなるうえ、排気が空気吸込口体１４の外方に漏出、飛散するのを確実に防止することができるのである。また、平面部２０の終端が上方向に湾曲面に形成されて、そのまま空気吸込口の内壁面へと連接されているので、排気の循環を円滑に行うことができるのであり、また、ゴミや塵更に埃などの回収が至極容易に行うことができるのであり、しかも洗浄後の汚れた洗浄水も一緒に上方へ舞い上げられ、このゴミや塵更に埃と共に汚れた戦時用水を、図１１に示す空気吸込み路Ｂ内から空気吸込み用パイプ１６内へとスムーズに吸引して、排気循環を行うことができる。
【０１２７】
図１４は、この実施例２の掃除機１に用いられている更に他の空気吸込口体を示す分解斜視図である。また、図１５（ａ）図は、図１４で示す空気吸込口体の斜視図であり、図１５（ｂ）図は、図１４で示す空気吸込口体を側面断面視して示す作用図である。
【０１２８】
この空気吸込口体１４では、前述のような、空気吸込口体１４における排気用パイプ１７が、空気吸込み用パイプ１６内に設けられた二重管構造ではなく、各々別のルートから排気用パイプ１７と空気吸込み用パイプ１６とが、空気吸込口体１４に連結される構造にされている点で、前述の実施例とは相違するものである。
【０１２９】
具体的には、排気用パイプ１７は、ジャバラ管１７ａを介して左、右に分岐され、このジャバラ管１７ａの下端に排気連結口１７ｂを設けてなり、排気連結口１７ｂには、水を排出する排出用配管２７の先端部が各々分岐されて連結している。
【０１３０】
また、ケース部１５の上面には、排気連結口１７ｂを貫通する貫通孔１５ａを左、右に開設している。
このケース部１５内には、前、後壁が半円状の湾曲面Ｒに形成された横長の柱状体１５’が内装されている。
【０１３１】
この柱状体１５’の上面には、排気連結口１７ｂが連結される連結穴５ａ’を形成し、且つ、柱状体１５’の下面には、横長の排気噴出口１９を開設している。なお、これ以外の構造は、前述した実施例の排気循環型掃除機と同様であるため、省略する。
【０１３２】
この実施例の掃除機１でも、電動ファン４の風圧によって、水貯留容器２５内に充填されている水Ｗが、排出用配管２７内を通じて排気連結口１７ｂから噴水され、排気噴出口１９から空気とともに噴き出される。この噴出される洗浄水Ｗは、霧又は水滴であり、洗浄水Ｗの水分で清掃面Ｆを洗浄し、洗浄後の汚れた洗浄水が、空気と共に、空気吸込口体１４で吸込まれて掃除機本体ケース３内に送られる。そして、清掃時に、空気吸込口体１４を前後方向に移動させるだけで、水洗いと、すすぎと、汚れた水などの回収を行うが、平面部２０の終端が、上方向に湾曲されているうえで、空気吸込口１８の内壁面へと連接される湾曲面Ｒに形成されているので、排気噴出口１９から噴出された排気が、平面部２０の終端における湾曲面Ｒに吸引、誘導されて循環され易い構造に形成されている。
【０１３３】
そのため、排気噴出口１９から噴出された排気は、平面部２０と清掃面Ｆとの間の流通するが、やがて排気は、平面部２０の終端の湾曲面Ｒに沿って、矢印に示すように、上方向に吸引、誘導されるので、空気吸込口体１４が清掃面Ｆから一層浮上し易くなるうえ、排気が空気吸込口体１４の外方に漏出、飛散するのを確実に防止することができるのである。また、平面部２０の終端が上方向に湾曲面に形成されて、そのまま空気吸込口の内壁面へと連接されているので、排気の循環を円滑に行うことができる上、ゴミや塵更に埃などの回収が至極容易に行うことができるのであり、しかも洗浄後の汚れた洗浄水も一緒に上方へ舞い上げられ、このゴミや塵更に埃と共に汚れた戦時用水を、図１１に示す空気吸込み路Ｂ内から空気吸込み用パイプ１６内へとスムーズに吸引して、排気循環を行うことができるのである。
【実施例３】
【０１３４】
図１６において（ａ）図は、本発明の実施例３による排気循環型掃除機掃除機における掃除機本体の内部において流体の流れを示す模式図であり、図１６において（ｂ）図は、この掃除機の空気吸込口体を側面断面視して示す作用図である。
【０１３５】
これらの各図に示すように、本発明の実施例３に係る排気循環型掃除機１においては、洗浄水を送り出す排出用配管２７内の途中部に、水蒸気発生装置３０が設けられて、洗浄水Ｗを水蒸気にして空気吸込口体１４の排気噴出口１９から排気と共に噴出されるように構成されているのであり、このように構成することにより、図示しないが、手元スイッチの開・閉によって水蒸気発生装置３０内のヒータを切断して水又は洗浄水で清掃面を洗浄するようにしても良いのであり、又、この洗浄後に水蒸気で清掃面を乾燥させたり、高熱殺菌を行ったりしても良いのである。
【０１３６】
又、水蒸気発生装置３０から発生した水蒸気によって清掃面（洗浄面）Ｆに付着している頑固な汚れや油分を含んだ汚れを除去したり、この汚れを除去した後の汚れた水分が空気吸込口１８で吸込まれて、掃除機本体２内の回収水貯留容器４５内に回収される。
【実施例４】
【０１３７】
次に、本発明の実施例４による排気循環型掃除機について説明する。
図１７において（ａ）図は、本発明の実施例４に係る排気循環型掃除機における掃除機本体の内部において流体の流れを示す模式図であり、図１７において（ｂ）図は、この掃除機の空気吸込口体を側面断面視して示す作用図である。
【０１３８】
これら各図に示す実施例４による排気循環型掃除機１は、前述した実施例３による排気循環型の掃除機を更に改良したもので、掃除機本体２内又は当該掃除機本体２の排気口７に合わせた位置に、排気を加熱する排気加熱装置３１が設けられたもので構成されている。
【０１３９】
このように、排気加熱装置３１で排気を加熱すると、乾燥した温かい排気を排気噴出口１９から噴出して、洗浄水Ｗの水分で濡れた清掃面（洗浄面）Ｆを乾燥させることができるのである。
【０１４０】
尚、排気の加熱によって清掃面を乾燥するという方式を採らずに、洗浄水を温水にして乾燥を早めるようにしても良いのである。又、洗浄水に洗剤を添加したり、病院等の特定施設の清掃の場合には、洗浄水に代えて消毒液、除菌液又は殺菌液などのいずれかを充填しても良いのである。
【実施例５】
【０１４１】
図１８は、実施例５による窓拭き用の空気吸込口体を側面断面視して示す作用図であり、図１９は、実施例５による窓拭き用の空気吸込口体を接続した掃除機本体の他の実施例を示す側面断面模式図であり、図２０は、実施例５による窓拭き用の空気吸込口体を接続した掃除機本体の更なる他の例を示す側面断面模式図である。
【０１４２】
図１８に示す実施例５の窓拭き用の空気吸込口体１４は、外側ケース３８内に、小径のパイプ３９，３９で形成された排気路５５，５５が設けられ、これら排気路５５，５５で囲まれた内側に空気吸込み路Ｂが設けられ、外側ケース３８と小径のパイプ３９，３９の間には排気路Ａ，Ａが形成されており、小径のパイプ３９，３９の先端部が細く絞られた形状を有し、図示していないが、先端部に向かうに従って横方向に大きく広がっており、排気噴出口１９，１９と空気吸込口１８は、ガラス面Ｇに沿うように横直線方向に形成され、空気吸込口１８の途中部分は、空気吸込口１８の先端部全体をガラス面Ｇに沿わせて操作がし易いように折曲されている。
【０１４３】
この実施例５の窓拭き用の空気吸込口体１４では、外側ケース３８の内壁に最も近い排気路Ａ，Ａが、排気用ホース１１ａによって掃除機本体２の排気噴出口７ａに接続されており、又、小径のパイプ３９，３９で形成されている排気路５５，５５が、排気用ホース１１ｂによって掃除機本体２内に設けられている排出用配管２７の先端部２７ａに接続されている。また、空気吸込み路Ｂが、空気吸込み用ホース８によって掃除機本体２の空気吸込み口６に接続されている。
【０１４４】
図１８に示す掃除機本体２内には、洗浄水を貯留する水貯留容器４５が収容されており、その上方には汚れた水をろ過するフィルタ５が設けられている。この掃除機本体２の吸引及び排気は、前述した各実施例の掃除機本体と同様に、電動ファン４の回転により行われるが、排気噴出口７ａから排気用ホース１１ａには、空気が排気され、排気用ホース１１ｂには、水貯留容器２５内の水を含んだ空気が噴出される。
【０１４５】
このため、空気吸込口体１４の外側ケース３８の内壁に最も近い排気路Ａ，Ａの先端部から前方に向けて空気が噴き出し、その内側の排気路５５，５５の先端部から前方に向けて水分を含んだ空気が噴き出される。
【０１４６】
図１８によりこの実施例５による窓拭き用の空気吸込口体１４の使用方法とその作用を説明すると、掃除機本体２の電源をＯＮさせて電動ファン４を回転させた状態で、空気吸込口体１４の先端部全体を窓ガラス面Ｇに沿わせる。このようにすると、電動ファン４の回転による負圧によって、排気路Ａ，Ａの先端部から噴出された空気は、ガラス面Ｇに当たって、ガラス面Ｇに沿って広がる方向に流れ、排気路Ａ，Ａの内側に位置する排気路５５，５５の先端部から噴き出された水滴又は霧状になった水分を含んだ空気は、排気路５５，５５の径が比較的小さいことに加えてその先端部が細く絞られた形状になっているために、前方のガラス面Ｇに向けて強く噴き出される。
【０１４７】
このため、この実施例では、空気吸込口体１４の先端部から噴き出した空気の流通層がガラス面Ｇと空気吸込口体１４の先端部との間に発生して、当該空気吸込口体１４の先端部がガラス面Ｇから少し浮いた状態になるが、噴出した空気の多くが空気吸込口体１４から吸い込まれるという吸引作用も働いているために、空気吸込口体１４の先端部をガラス面Ｇに押し当てる方向に操作しても、空気吸込口体１４の先端部はガラス面Ｇに接触することなく、適度の間隔が維持された状態になる。
【０１４８】
このため、空気吸込口体１４の外側ケース３８の内壁面に沿って設けられている排気路Ａ，Ａの先端部から噴出された空気と、排気路５５，５５の先端部から噴き出された水滴又は霧状になった水分を含んだ空気とによって、ガラス面Ｇに付着している埃や汚れが落とされるのであるが、特に、排気路５５，５５の先端部から噴き出された水滴又は霧状になった水分を含んだ空気は強く噴き出されるため、ブラシと水で洗浄したときと同様にガラス面Ｇを綺麗に洗浄することができる。
【０１４９】
そして、窓ガラス面Ｇに付着している汚水は、空気吸込口体１４を通じて、掃除機本体２内まで吸引され、掃除機本体２内に吸引された汚水は、フィルタ５で汚れの大きな粒子が除去されて、下方の水貯留容器４５内に貯められる。
【０１５０】
尚、図１８に示す掃除機本体２内には、水貯留容器４５の上方にフィルタ５を設けて、空気吸込み口６から掃除機本体２内に吸い込まれた汚水をろ過するように構成されているが、例えば、水貯留容器４５の中央に縦方向のフィルタで形成した仕切りを設けて、この仕切りで区切った一方側に吸い込んだ汚水を入れ、仕切りでろ過された水が他方側に貯まるようにして、浄化された水を再び吸引させるようにしてもよいのである。
【０１５１】
又、前記実施例に代えて、例えば、図１９に示すように、掃除機本体ケースの内側に汚水を貯める回収水貯留容器４５を設けるとともに、掃除機本体ケースの外側に洗浄水Ｗを貯める水貯留容器２５を取り付けて、当該水貯留容器２５内に向けて取り付けられている排出用配管２７の先端部２７ａに排気用ホース１１ｂの基部側になる一端部を接続し、又、掃除機本体２の排気噴出口７ａに排気用ホース１１ａの基部側になる一端部を接続し、更に、空気吸込み用ホース８の基部側になる一端部を掃除機本体２の空気吸込み口６に接続して、負圧を利用して水貯留容器２５内のきれいな水を空気吸込み口６から噴き出させて、空気吸込口体１４から回収した汚水を、掃除機本体２内の回収水貯留容器４５内に貯めるようにしても良いのである。
【０１５２】
更には、図２０に示す掃除機本体２のように、回収水貯留容器４５と水貯留容器２５とを併設すると共に、これらをフィルタ５で仕切って、回収水貯留容器４５内に回収した汚水を当該フィルタ５でろ過して水貯留容器２５内に移動させるように構成してもよいのである。
【０１５３】
この場合、回収水貯留容器４５内から水貯留容器２５内に向けた水の移動は、水貯留容器２５内の洗浄水Ｗが排出用配管２７から吸引されることによる減少を補うために自然に行われるが、掃除機本体２内に設けられている電動ファン４の回転による負圧を利用したり、回収水貯留容器４５内の汚水をポンプで吸引して水貯留容器２５内に移すように吸引濾過を行ってもよいのである。
【０１５４】
尚、この空気吸込口体１４が接続される排気循環型の掃除機本体２としては、前記各実施例のものが好適に用いられるのであり、従って、ここでは重複説明を避けるため省略する。
【０１５５】
図２１は、図１８〜図２０で示された窓拭き用の空気吸込口体１４の他の実施例を示す側面断面模式図である。この窓拭き用の空気吸込口体１４は、外側ケース３８内に、一定間隔を設けて形成された小径のパイプ３９を設けたものであり、このパイプ３９の細く絞られた先端部の排気噴出口１９から水分を含んだ空気が前方のガラス面Ｇに向けて強く噴き出されて当該ガラス面Ｇの汚れを浮かせ、その結果、ブラシと水で洗浄したときと同様にガラス面Ｇを奇麗に洗浄することができるのである。
【０１５６】
そして、窓ガラス面Ｇに付着された汚水は、排気噴出口１９の周囲に隣設された空気吸込口１８に吸い込まれて、外側ケース３８とパイプ３９との間に設けられた排気路Ａを通じて掃除機本体２内に吸引するようにしても、前述の場合と同様の効果を得ることができるのである。
【図面の簡単な説明】
【０１５７】
【図１】図１は、本発明の実施例に係る排気循環型掃除機を示す全体斜視図である。
【図２】図２は、その掃除機における掃除機本体の内部において流体の流れを示す模式図である。
【図３】図３は、空気吸込み用延長パイプ及び排気用延長パイプとの構造を示す部分側面断面図である。
【図４】図４は、排気・吸込み一体型パイプの他の形状の一部を示す部分斜視図である。
【図５】図５において（ａ）図は、本発明の実施例１に係る排気循環型掃除機の一部を構成する第１形状の空気吸込口体を示す斜視図である。  図５において（ｂ）図は、その第１形状の空気吸込口体の内部において流体の流れを示す作用図である。
【図６】図６において（ａ）図は、本発明の実施例１に係る排気循環型掃除機の一部を構成する第２形状の空気吸込口体を示す斜視図である。  図６において（ｂ）図は、第２形状の空気吸込口体を側面断面図で示す作用図である。
【図７】図７において（ａ）図は、本発明の実施例１に係る排気循環型掃除機の一部を構成する第３形状の空気吸込口体を示す一部断面斜視図である。  図７において（ｂ）図は、同じくその底面図である。  図７において（ｃ）図は同じくその側面断面図である。
【図８】図８において（ａ）図は、平面部を着脱自在に装着した状態の空気吸込口体の下部周辺部を示す側面部分断面図である。  図８において（ｂ）図は、その平面部を取り外した状態の空気吸込口体の下部周辺部を示す側面部分断面図である。
【図９】図９において（ａ）図は、排気噴出口及び平面部の下面に、通気性、又は、通気性及び通水性を有する面状体を被覆した状態の空気吸込口体を示す斜視図である。  図９において、（ｂ）図は、同じく、その空気吸込口体の内部において流体の流れを示す作用図である。
【図１０】図１０は、本発明の実施例２に係る排気循環型掃除機を示す全体斜視図である。
【図１１】図１１は、本発明の実施例２に係る排気循環型掃除機における掃除機本体の内部において流体の流れを示す模式図である。
【図１２】図１２において（ａ）図は、この他の実施例に係る排気循環型掃除機に好適に用いられている空気吸込口体を示す斜視図である。  図１２において（ｂ）図は、その空気吸込口体の内部において流体の流れを示す作用図である。
【図１３】図１３において（ａ）図は、実施例２の排気循環型掃除機に用いられている他の空気吸込口体を示す斜視図である。  図１３において（ｂ）図は、この空気吸込口体を側面断面視して示す作用図である。
【図１４】図１４は、本発明の実施例２に係る排気循環型掃除機に用いられている更に他の空気吸込口体を示す分解斜視図である。
【図１５】図１５において（ａ）図は、図１４で示した空気吸込口体の斜視図である。  図１５（ｂ）図は、図１４で示した空気吸込口体を側面断面視して示す作用図である。
【図１６】図１６において（ａ）図は、本発明の実施例３に係る排気循環型掃除機における掃除機本体の内部において流体の流れを示す模式図である。  図１６において（ｂ）図は、本発明の実施例３に係る排気循環型掃除機における空気吸込口体の内部において流体の流れを示す作用図である。
【図１７】図１７において（ａ）図は、本発明の実施例４に係る排気循環型掃除機における掃除機本体の内部において流体の流れを示す模式図である。  図１７において（ｂ）図は、その排気循環型掃除機における空気吸込口体の内部において流体の流れを示す作用図である。
【図１８】図１８は、実施例５による窓拭き用の空気吸込口体を側面断面視して示す側断面模式作用図である。
【図１９】図１９は、実施例５による窓拭き用の空気吸込口体を接続した掃除機本体の他の実施例を示す側断面模式作用図である。
【図２０】図２０は、実施例５による窓拭き用の空気吸込み口体を接続した掃除機本体の更なる他の実施例を示す側断面模式作用図である。
【図２１】図２１は、窓拭き用の空気吸込口体を接続した掃除機本体の更なる他の実施例を示す側断面模式作用図である。
【符号の説明】
【０１５８】
１    排気循環型掃除機
２    掃除機本体
３    掃除機本体ケース
４    電動ファン
５    フィルタ
６    空気吸込口
７    排気噴出口
８    空気吸込み用ホース
９    空気吸込み用延長パイプ
１１    空気吸込み用延長パイプ
１２    排気用延長パイプ
１３    アタッチメント
１４    空気吸込口体
１６    空気吸込み用パイプ
１７    排気用パイプ
１８    空気吸込口
１９    排気噴出口
２０    平面部
２５    水貯留容器
Ｒ    湾曲面
Ｆ    清掃面
Ｇ    ガラス面
【図１】
2006043444.tif 000003
【図２】
2006043444.tif 000004
【図３】
2006043444.tif 000005
【図４】
2006043444.tif 000006
【図５】
2006043444.tif 000007
【図６】
2006043444.tif 000008
【図７】
2006043444.tif 000009
【図８】
2006043444.tif 000010
【図９】
2006043444.tif 000011
【図１０】
2006043444.tif 000012
【図１１】
2006043444.tif 000013
【図１２】
2006043444.tif 000014
【図１３】
2006043444.tif 000015
【図１４】
2006043444.tif 000016
【図１５】
2006043444.tif 000017
【図１６】
2006043444.tif 000018
【図１７】
2006043444.tif 000019
【図１８】
2006043444.tif 000020
【図１９】
2006043444.tif 000021
【図２０】
2006043444.tif 000022
【図２１】
2006043444.tif 000023